(57)【特許請求の範囲】
【請求項１】
フランジを有し計器取付けパネルに設けた取付孔に背面側から差込んで前記フランジを前記パネルに当接するようにして前記パネルに取付けられる計器筐体と、
この計器筐体のうち前記パネルから突出する前面部を覆うカバーと、
前記パネルの前面側にて前記計器筐体の外周に圧入されて前記カバーが被せられるとともに前記フランジおよびパネルの間に介在してそれらに当接される枠型の防水弾性パッキンであって、当該外周からひれ状に突出して環状に形成され前記カバーの押圧によって前記パネル側に屈曲して前記カバー内側壁に圧接する屈曲片を一体的に有するパッキンと、
を具備することを特徴とする計器筐体の防水構造。
【請求項２】
前記計器筐体の前面側、カバーおよびパッキンが枠型に形成されてなり、前記パッキンの屈曲片の四隅およびこれが当接する前記カバーの内側壁の四隅が湾曲形成されてなる請求項１記載の計器筐体の防水構造。
【請求項３】
前記パッキンの屈曲片は、前記計器筐体にはめられた前記カバーの押圧によって屈曲されたとき前記カバー内に収まる形状に選定されてなる請求項１又は２記載の計器筐体の防水構造。
【請求項４】
前記パッキンには前記屈曲片の基部に環状の凹溝が形成され、前記カバーには前記凹溝に圧入される環状の凸部が形成されてなる請求項１〜３のいずれか一項記載の計器筐体の防水構造。
【発明の詳細な説明】
【０００１】
【発明の属する技術分野】
本発明は計器筐体の防水構造に係り、例えばプラグイン形計器に適用して好適する計器筐体の防水構造の改良に関する。
【０００２】
【従来の技術】
プラグイン形計器は、図示はしないが、有底の箱形ケースの開口部外周にフランジを設けるとともに底部に複数の外部接続端子を貫通形成し、前面蓋部の背面側に複数の回路基板を取付け、その回路基板側からケース内に挿入して回路基板を外部接続端子に接続した状態でケースの開口部をその前面蓋部で塞いで計器筐体を形成し、この計器筐体を外部接続端子側すなわち背面側から計器取付けパネルの取付孔に挿入してケースのフランジをパネルに係止させ、ケースに設けた押圧板をパネルの裏側から圧接させて計器筐体を固定する一方、パネルの前面側にてケースのフランジおよび前面蓋部をカバーで覆う構成が知られている。
【０００３】
しかも、計器筐体とカバー間の防水機能を確保する観点から、計器筐体とカバー間に弾性体例えばゴム製のパッキンを介在させた状態で、そのカバーを被せていた。
【０００４】
【発明が解決しようとする課題】
しかしながら、上述した構成の計器筐体の防水構造では、パッキンを計器筐体のケースや前面蓋部に接着剤その他の固定手段によって固定する構成であったから、接着剤等の固定部材が必要であるうえ、組立て中にパッキンの接着工程も必要となり、高い防水効果を維持しつつ、コストダウンおよび製造の簡素化を図る観点から、より構成部品の減少および製造プロセスの簡略化が望まれていた。
【０００５】
本発明はこのような状況の下になされたもので、高い防水効果が得られるとともに、構成部品の減少および製造プロセスの簡略化を図ることが容易な計器筐体の防水構造の提供を目的とする。
【０００６】
【課題を解決するための手段】
そのような課題を解決するために本発明は、フランジを有しパネルに設けた取付孔に背面側から差込んでそのフランジをそのパネルに当接するようにして取付けられる計器筐体と、この計器筐体のうちそのパネルから突出する前面部を覆うカバーと、そのパネルの前面側にて計器筐体の外周に圧入されてそのカバーが被せられるとともにそのフランジおよびパネルの間に介在してそれらに当接される枠型の防水弾性パッキンを有し、当該外周からひれ状に突出して環状に形成されそのカバーの押圧によってパネル側に屈曲してカバー内側壁に圧接する屈曲片をこのパッキンに一体的に設けた構成を有している。
【０００７】
そして、本発明は、上記計器筐体の前面側、カバーおよびパッキンを枠型に形成し、そのパッキンの屈曲片の四隅およびこれが当接するカバーの内側壁の四隅を湾曲させると良い。
また、本発明は、上記パッキンの屈曲片を、その計器筐体にはめられたカバーの押圧によって屈曲されたときカバー内に収まる形状に選定すると良い。
【０００８】
さらに、本発明は、上記パッキンに屈曲片の基部に環状の凹溝を形成し、そのカバーには凹溝に圧入される環状の凸部をカバーに形成したり、そのパッキンにはパネルに当接する面に凹孔を形成することも可能である。
【０００９】
【発明の実施の形態】
以下、本発明の実施の形態を図面を参照して説明する。
まず、本発明に係る計器筐体の防水構造の概略から説明する。
【００１０】
図１は本発明に係る計器筐体の防水構造の概略を分解して示す分解斜視図である。
図１において、計器筐体１は、開口部外周にフランジ３を有するとともに底部に複数の外部接続端子５を貫通形成した箱型のケース７と、背面側に複数の回路基板（隠れて見えない。）を取付けた前面蓋部９とからなり、その回路基板側からケース７内に挿入して外部接続端子５にその回路基板を接続した状態でケース７の開口部を前面蓋部９で塞いで形成されている。
【００１１】
カバー１１は、ケース７のフランジ３および前面蓋部９をそっくり覆う偏平なカップ状を有し、操作窓１３を有して例えばポリカーボネート樹脂から枠形に成形されている。
パッキン１５は、弾力性に富み防水機能の良好な例えばシリコーンゴム、クロロプレインゴム、ＥＰＲ（エチレンプロピレンゴム）等から枠形に成形されてなり、ケース７の外周に底部すなわち外部接続端子５側から、フランジ３に当接するまではめ込まれている。これらカバー１１およびパッキン１５の詳細は後述する。
【００１２】
計器取付けパネル１７は、取付孔１９を有する従来公知の制御機器の操作用のパネルであり、後述するように計器筐体１が外部接続端子５側から取付孔１９に挿入されて支持される。
【００１３】
次に、それらケース７、パッキン１５およびカバー１１について図２を参照して詳細に説明する。
ケース７は、図２に示すように、外部接続端子５近傍の上下の各対向側面に、支持金具２１を有し、この支持金具２１にはパネル１７の側面に沿ってねじ２３がねじ込まれており、このねじ２３に係止される押圧板２５がパネル１７の側面に沿ってフランジ３近傍まで延び、ねじ２３の回転によって押圧板２５がフランジ３すなわちパネル１７に対し進退動するようになっている。なお、押圧板２５の先端はＬ字形に屈曲形成されている。
【００１４】
ケース７の外周に圧入するようにはめられた枠形のパッキン１５は、図３および図４に示すように、フランジ３の外周にはまる係合段部２７を有して先端側が肉薄になっており、フランジ３と前面蓋部９の外周を覆っている。
そして、ケース７に設けたねじ２３を廻して押圧板２５をパネル１７方向へスライドさせると、図２に示すように、Ｌ字形の先端がパネル１７の裏面に圧接され、フランジ３とパネル１７の間でパッキン１５を圧縮するようかつパネル１７を挟むようにして、計器筐体１がパネル１７に固定される。
【００１５】
パッキン１５は、図３および図４に示すように、その外周から一体的に突設するとともにパッキン１５の枠形状に沿って環状に形成されたひれ状の屈曲片２９を有している。
この屈曲片２９は、後述するように、カバー１１がはめられたとき、これによってパネル１７側（後方）に屈曲するとともに先端がカバーの内側壁３５に圧接するものであり、四隅のコーナー部Ａでは先端が曲線状に形成されて角形とはなっていないし、カバー１１によってパネル１７側に屈曲片２９が屈曲されたとき、屈曲片２９の全周にわたってこれがカバー１１からパネル１７側へ突出しないような突出寸法に選定されている。
【００１６】
また、パッキン１５において、屈曲片２９の肉薄側の基部には凹溝３１が環状に形成されている。
カバー１１は、フランジ３と前面蓋部９の外周を覆うようにしてパッキン１５に圧入されて被せられており、図５および図６に示す形状となっている。
【００１７】
すなわち、カバー１１は、開口部近傍にて段部３３を介して大径部となって開口し、この開口部の内径が操作窓１３側の内径より大径となっており、その段部３３の内側には開口部に向けかつカバー１１の内側壁３５に沿った環状の凸部３７が突設され、この凸部３７と内側壁３５の間に環状の収納溝３９が形成されている。
しかも、収納溝３９は、カバー１１の枠型に沿って形成されるとともに、四隅のコーナー部Ｂにおいてその内側壁３５が曲面状に形成されて角形とはなっていない。
【００１８】
そのため、図２に示すように、フランジ３や前面蓋部９を覆うようにカバー１１を被せると、パッキン１５の屈曲片２９が収納溝３９に収まるとともに内側壁３５によって屈曲片２９の先端部がパネル１７側へ屈曲されて内側壁３５に圧接される一方、凸部３７がパッキン１５の凹溝３１に圧入される。
従って、パッキン１５の屈曲片２９は、この屈曲片２９をカバー１１の収納溝３９に重ねたとき、カバー１１の内側壁３５から若干突出するような突出長で形成されている。
【００１９】
ところで、カバー１１の操作窓１３は、図２に示すように、透過性にして防水性の良好な例えばポリカーボネートからなる保護シート４１で覆われ、カバー１１の操作窓１３から水が浸透しないようになっている。
【００２０】
このような構成の計器筐体は、計器筐体１の外周にパッキン１５をケース７の底部側からフランジ３に当接するまではめ込こんだ状態で、図７に示すように、パネル１７の取付孔１９に計器筐体１の背面側から挿入してパッキン１５にパネル１７を当接させ、上述したケース７のねじ２３によって計器筐体１をパネル１７に固定させる一方、フランジ３や前面蓋部９を覆うようにカバー１１をパッキン１５に被せ、カバー１１の凸部３７をパッキン１５の凹溝３１に圧入するとともに収納溝３９に屈曲片２９を圧入して組立てられる。
【００２１】
このように、フランジ３や前面蓋部９を覆うようにカバー１１をパッキン１５に圧入すると、図８に示すように、パッキン１５の屈曲片２９が収納溝３９に収まるとともに、屈曲片２９が全周にわたって内側壁３５によってパネル１７側へ屈曲させられて内側壁３５に圧接する一方、凸部３７と凹溝３１が圧着される。  そのため、カバー１１とパッキン１５の間に着目とすると、パッキン１５の屈曲片２９が収納溝３９の内側壁３５に圧接して防水効果が得られるとともに、凸部３７と凹溝３１が圧着され、この点からもカバー１１とパッキン１５間の防水効果が高められ、計器筐体１すなわちフランジ３や前面蓋部９部分の防水効果が得られる。
【００２２】
そして、パッキン１５は、計器筐体１の外周にはめ込むだけで良く、計器筐体１をパネル１７に固定する過程でパネル１７に圧接され、カバー１１をフランジ３や前面蓋部９に圧接するよう被せるだけで良いから、構成が簡単で、接着剤等が不要となるうえ、組立ても簡単である。
しかも、パッキン１５の屈曲片２９は、四隅コーナー部Ａが曲線状に形成されて角形とはなっていないから、それらがカバー１１の収納溝３９の内側壁３５に密着し易い。
【００２３】
さらに、カバー１１の収納溝３９の四隅コーナー部Ｂの内側壁３５が曲線状に形成されて角形とはなっていないから、パッキン１５の屈曲片２９との密着度が高く、カバー１１とパッキン１５の屈曲片２９との間の密着度が高い。
なお、パッキン１５の屈曲片２９がカバー１１によってパネル１７側に屈曲されたとき、そのカバー１１から突出しないような寸法に屈曲片２９を選定すれば、カバー１１とパッキン１５の屈曲片２９間から水が入り難い。
【００２４】
そして、本発明の計器筐体の防水構造においては、カバー１１の収納溝３９とパッキン１５の屈曲片２９に加え、カバー１１の凸部３７とパッキン１５の凹溝３１によってさらに一層の防水効果が期待できるが、カバー１１の凸部３７やパッキン１５の凹溝３１は必ずしも必須ではない。
【００２５】
ところで、パッキン１５において、平面部分を単にパネル１７に当接させると、毛細管現象によってパッキン１５とパネル１７間に水が侵入する心配がないではない。
そこで、図８に示すように、パッキン１５において、パネル１７との接触面に小さい盲孔４３を複数設けることにより、毛細管現象による水の侵入を抑えることが可能であろう。
【００２６】
【発明の効果】
以上説明したように発明に係る計器筐体の防水構造は、フランジを有する計器筐体の外周に枠型の防水性に富んだ弾性パッキンを圧入し、パネルに設けた取付孔に背面側から差込んでフランジおよびパネルの間にパッキンを挟むようにして計器筐体をそのパネルに取付け、カバーをそのパッキンに被せるように圧入して計器筐体の前面側を覆うとともに、パッキンに当該外周からひれ状に突出して環状に設けた屈曲片を、その圧入したカバーによってパネル側に屈曲させてカバー内側に圧接させてなるから、単に計器筐体の外周にパッキンを圧入するとともに計器筐体にカバーを圧入するように被せるだけで高い防水効果が得られるとともに、構成部品を減少させることが可能であるうえ、製造プロセスの簡略化を図ることが容易となる。
そして、計器筐体の前面側、カバーおよびパッキンを枠型に形成し、そのパッキンの四隅およびこれが当接するカバーの内側壁のコーナー部を湾曲形成したり、上記パッキンの屈曲片を、計器筐体にはめられたカバーの押圧によって屈曲したときカバー内に収まる形状に選定すると、一層の防水効果が得られる。
さらに、上記パッキンに環状の凹溝を形成する一方、その凹溝に圧入される環状の凸部をカバーに形成する構成では、更に高い防水効果が期待できる。
【図面の簡単な説明】
【図１】本発明に係る計器筐体の防水構造の概略分解斜視図である。
【図２】図１の防水構造の実施の形態例を示す断面図である。
【図３】図１のパッキンを示す平面図である。
【図４】図３のパッキンを示す断面図（図３中のＩＶ−ＩＶ間断面）である。
【図５】図１のカバーを示す平面図である。
【図６】図５のカバーを示す断面図（図５中のＶＩ−ＶＩ間断面）である。
【図７】図１の防水構造の組立て工程を示す斜視図である。
【図８】図１の防水構造の要部を示す断面図である。
【符号の説明】
１  計器筐体
３  フランジ
５  外部接続端子
７  ケース
９  前面蓋部
１１  カバー
１３  操作窓
１５  パッキン
１７  パネル
１９  取付孔
２１  支持金具
２３  ねじ
２５  押圧板
２７  係合段部
２９  屈曲片
３１  凹溝
３３  段部
３５  内側壁
３７  凸部
３９  収納溝
４１  保護シート
４３  盲孔
【図１】
0003665883.tif 000002
【図２】
0003665883.tif 000003
【図３】
0003665883.tif 000004
【図４】
0003665883.tif 000005
【図５】
0003665883.tif 000006
【図６】
0003665883.tif 000007
【図７】
0003665883.tif 000008
【図８】
0003665883.tif 000009